(57)【要約】      （修正有）【課題】腰痛を軽減可能な脚枕の提供。【解決手段】本考案の脚枕１は、カバーと、内部クッション３と、クッション材４と、から構成される。カバーは、脚を載置可能であって、脚を載置する位置に脚を刺激する弾性材２３が収容されたポケット２４を有する載置部２１と、載置部２１に接続された接地部２２と、を有する。クッション材４は、カバーに収容されている。内部クッション３は、カバーに収容されクッション材４に周囲を覆われ、クッション材４よりも硬い。【選択図】図２
0003203092.tif 000002
【実用新案登録請求の範囲】
【請求項１】
脚を載置可能であって、前記脚を載置する位置に前記脚を刺激する弾性材が収容されたポケットを有する載置部と、前記載置部に接続された接地部と、を有するカバーと、
前記カバーに収容されたクッション材と、
前記カバーに収容され、前記クッション材に周囲を覆われ、前記クッション材よりも硬い内部クッションと、
から構成されることを特徴とする脚枕。
【請求項２】
前記ポケットは、前記カバーの外側に設けられていることを特徴とする請求項１に記載の脚枕。
【請求項３】
前記ポケットは、前記カバーの内側に設けられていることを特徴とする請求項１に記載の脚枕。
【請求項４】
前記カバーは、前記クッション材と前記内部クッションとを収容する第１カバーと、前記第１カバーの外表面を覆い前記載置部と前記接地部とを有する第２カバーとから構成され、
前記ポケットは前記第２カバーの内側に設けられていることを特徴とする請求項１に記載の脚枕。
【請求項５】
前記カバーは、前記クッション材と前記内部クッションとを収容する第１カバーと、前記第１カバーの外表面を覆い前記載置部と前記接地部とを有する第２カバーとから構成され、
前記ポケットは前記第２カバーの外側に設けられていることを特徴とする請求項１に記載の脚枕。
【請求項６】
前記第２カバーは、本体カバーと、前記本体カバーと固定部で固定され前記ポケットが形成されたポケットカバーと、により構成され、
前記ポケットカバーは、前記固定部を中心に前記本体カバーに対して回動可能であることを特徴とする請求項５に記載の脚枕。
【請求項７】
前記第２カバーには、前記ポケットが形成されている位置とは異なる位置に収容ポケットが形成されていることを特徴とする請求項４または５に記載の脚枕。
【請求項８】
前記ポケットは前記載置部に２つ設けられ、前記ポケットの長手方向が前記載置部に載置する脚の方向と平行であることを特徴とする請求項１から７のいずれか１項に記載の脚枕。
【考案の詳細な説明】
【技術分野】
【０００１】
本考案は、脚に用いる脚枕に関するものである。
【背景技術】
【０００２】
従来の脚枕は、踵を腰よりも高くすることによって、下半身の血液・水分を上半身に向かわせて脚の鬱血やむくみを解消していた。例えば、特許文献１の脚枕では、腰から足首にかけて斜め上方に向かうような形状を成し、脚の疲労低減のためにマッサージ効果のあるバイブレーション機能、磁石、ヒータを搭載している。特許文献２の脚枕では、脚の形状に合うように凹部が形成され、腰から足首にかけて斜め上方に向かう形状を成している。
【先行技術文献】
【特許文献】
【０００３】
【特許文献１】特開平６−１６５７１９号公報
【特許文献２】特開２００３−１０２５８９号公報
【考案の概要】
【考案が解決しようとする課題】
【０００４】
しかし、上記の脚枕では、大腿部から足首に向かうにつれて斜め上方に傾斜しているため上半身の血流を良くする効果はあるものの腰痛にはなんらの影響も及ぼさない。また、従来のクッションを腰痛緩和のために大腿部と地面との間に挟んで使用すると、クッションが沈みすぎて使用感が良くないなどの問題があった。
【０００５】
そこで、本考案では、腰痛を低減可能な脚枕を提供することを目的とする。
【課題を解決するための手段】
【０００６】
上記課題を解決するために本考案は、脚を載置可能であって、前記脚を載置する位置に前記脚を刺激する弾性材が収容されたポケットを有する載置部と、前記載置部に接続された接地部と、を有するカバーと、前記カバーに収容されたクッション材と、前記カバーに収容され、前記クッション材に周囲を覆われ、前記クッション材よりも硬い内部クッションと、から構成されることを特徴とする脚枕を提供している。
【０００７】
このような構成によると、カバー内部には、クッション材よりも硬い内部クッションが収容されているため、脚の重量によって脚枕が過度に沈むことを防止し脚を適度な高さに保つことができる。脚枕を大腿部に載置した場合、大腿部を適度な高さに保つことにより腰と地面との接地圧を低減し、腰痛を低減することができる。また、脚が載置可能な載置部に脚を刺激するための弾性材が収容されたポケットが形成されているため、弾性材によって脚に適度な刺激を与えることができる。これにより、脚の筋肉に適度な刺激を与え、脚の疲労回復を促すことができる。これにより、脚の血液が上半身に流れて脚のむくみや鬱血を解消するとともに下肢静脈瘤を予防することができる。また、内部クッションは柔らかいクッション材で周囲を覆われているため、脚枕の外周縁は柔らかい感触となる。
【０００８】
また、前記ポケットは、前記カバーの外側に設けられていることが好ましい。
【０００９】
このような構成によると、ポケットがカバーの外側に設けられているため、弾性材により適度に脚に刺激を与えることができる。これにより、脚枕使用時の快適性が向上する。
【００１０】
また、前記ポケットは、前記カバーの内側に設けられていることが好ましい。
【００１１】
このような構成によると、ポケットがカバーの内側に設けられているため、弾性材により適度に脚に刺激を与えることができる。これにより、脚枕使用時の快適性が向上する。
【００１２】
また、前記カバーは、前記クッション材と前記内部クッションとを収容する第１カバーと、前記第１カバーの外表面を覆い前記載置部と前記接地部とを有する第２カバーとから構成され、前記ポケットは前記第２カバーの内側に設けられていることが好ましい。
【００１３】
このような構成によると、ポケットが第２カバーの内側に設けられているため、弾性材により適度に脚に刺激を与えることができる。これにより、脚枕使用時の快適性が向上する。
【００１４】
また、前記カバーは、前記クッション材と前記内部クッションとを収容する第１カバーと、前記第１カバーの外表面を覆い前記載置部と前記接地部とを有する第２カバーとから構成され、前記ポケットは前記第２カバーの外側に設けられていることが好ましい。
【００１５】
このような構成によると、ポケットが第２カバーの外側に設けられているため、弾性材により適度に脚に刺激を与えることができる。これにより、脚枕使用時の快適性が向上する。
【００１６】
また、前記第２カバーは、本体カバーと、前記本体カバーと固定部で固定され前記ポケットが形成されたポケットカバーと、により構成され、前記ポケットカバーは、前記固定部を中心に前記本体カバーに対して回動可能であることが好ましい。
【００１７】
このような構成によると、ポケットカバーを本体カバーに対して回動させることで、弾性材の使用有無を切り替えることができる。これにより、使用者の状況に応じて脚枕の多様な使用が可能になる。
【００１８】
また、前記第２カバーには、前記ポケットが形成されている位置とは異なる位置に収容ポケットが形成されていることが好ましい。
【００１９】
このような構成によると、収容ポケットに携帯用カイロや保冷材を収容することで、収容ポケットの位置に脚を載置すると脚の加温・冷却を行うことができる。
【００２０】
また前記ポケットは前記載置部に２つ設けられ、前記ポケットの長手方向が前記載置部に載置する脚の方向と平行であることが好ましい。
【００２１】
このような構成によると、ポケットの長手方向が脚の方向と平行であるため、脚の広い範囲を弾性材によって刺激することができる。これにより、脚枕使用時の快適性が向上する。
【考案の効果】
【００２２】
本考案の脚枕によると、腰痛を低減可能な脚枕を提供することができる。
【図面の簡単な説明】
【００２３】
【図１】本考案の第１の実施の形態の脚枕の斜視図。
【図２】本考案の第１の実施の形態の脚枕の中央断面図。
【図３】本考案の第１の実施の形態の脚枕のカバーを外カバーで覆った断面図。
【図４】本考案の第１の実施の形態の脚枕の使用例を示す図。
【図５】本考案の第１の実施の形態の脚枕の使用例を示す図。
【図６】本考案の第２の実施の形態の脚枕の断面図。
【図７】本考案の第３の実施の形態の脚枕の断面図。
【図８】本考案の第４の実施の形態の脚枕の断面図。
【考案を実施するための形態】
【００２４】
本考案の第１の実施の形態による脚枕１を、図１乃至図５に基づいて説明する。以下の記載において、平行、直行とは、完全に平行、直行ではなく略平行、略直行を含む概念である。図１のように上下方向を定義し、左右方向を脚枕１の長手方向とし、前後方向を幅方向とする。
【００２５】
図１乃至図３に示すように、本考案の脚枕１は、カバー２と、内部クッション３と、クッション材４と、外カバー５と、から主に構成されている。図３に示すように、カバー２の外表面は外カバー５に覆われている。図１及び図２では、脚枕１において外カバー５を省略している。本実施の形態の脚枕１は、長手方向が４０ｃｍ、幅方向が３０ｃｍ、高さが１５ｃｍである。通常は、使用者は脚を前後方向に伸ばすように脚枕１を使用する。
【００２６】
カバー２は、外カバー５を介して脚が載置される載置部２１と、載置部２１と反対側であって地面や布団等と接する接地部２２と、を備えている。載置部２１には、上方に突出し弾性材２３が収容されたポケット２４が形成されている。弾性材２３は、脚を載置部２１に載置した際にポケット２４内で動く程度に充填されている。載置部２１は、脚枕１の上面であって略矩形をなし、４つの辺で接地部２２と縫合されている。接地部２２は、脚枕１の下面であって略矩形をなし、載置部２１と略同一の形状である。
【００２７】
ポケット２４は、略矩形であって、四辺を載置部２１の上面（外側）に縫製されていて、中央部分が幅方向全幅にわたって載置部２１に縫製されている。ポケット２４の中央部分では、所定長さだけ長手方向に縫製されている。これにより、脚を載置部２１に載置した際に弾性材２３が長手方向及び幅方向に片寄ることを抑制できる。ポケット２４は幅方向全幅に亘って縫製されることで載置部２１に２つ形成され、各ポケット２４の長手方向が前後方向、つまり載置部２１に載置する脚の方向と平行に延びている。
【００２８】
カバー２は、綿、ポリエステルなどの化学繊維、麻、防水性を供える塩化ビニール、保温性を高めたフリース、などいずれを選択してもよい。本実施の形態では、弾性材２３としてプラスチック製のパイプを用いている。弾性材２３として、そば殻、ビーズ、発砲ビーズ、芳香性に優れた檜の木片、防虫効果のある桐の木片、小石などを用いてもよい。
【００２９】
カバー２は、内部クッション３及びクッション材４を収容している。本実施の形態では、内部クッション３として防臭抗菌効果を備えるクラレ社のサニター（登録商標）を用いている。内部クッション３として、クッション材４よりも硬い、ポリエチレンフォーム、ポリスチレンフォーム、ポリプロピレンフォーム、ポリウレタンフォーム、発砲ウレタン、ウレタンスポンジ、抗菌防臭効果を備えるテイジン社のマイティトップ（登録商標）を用いてもよい。本実施の形態では、２つの略薄板状をなした内部クッション３がカバー２に収容されている。
【００３０】
クッション材４はカバー２に充填されていて、内部クッション３の周囲を覆っている。つまり、内部クッション３の外表面は完全にクッション材４に覆われている。クッション材４は、内部クッション３よりも柔らかい素材であればよく、本実施の形態では綿を用いている。クッション材４として、フェザー、羽毛、化学繊維、パンヤなどを用いてもよい。
【００３１】
外カバー５は、カバー２よりもわずかに大きくカバー２の外表面を覆っている。外カバー５には、外カバー５開閉用のチャックが設けられている。外カバー５は、カバー２と同一の素材であってもよく異なる素材であってもよい。外カバー５は、綿、ポリエステルなどの化学繊維、麻、防水性を供える塩化ビニール、保温性を高めたフリース、などいずれを選択してもよい。外カバー５の下面には、保冷材や携帯用カイロを収容可能な収容ポケット５Ａが形成されている。収容ポケット５Ａは、底面視略矩形であって、左右方向の一方の辺が開放されている。前後方向の一方の辺が開放されていてもよい。
【００３２】
脚枕１の使用例を図４及び図５に基づいて説明する。図４及び図５では、弾性材２３が使用者７の大腿部７１及び下腿部７２に当接していることを示すために、外カバー５の図示を省略する。図４に示すように、使用者７が布団等の上に横臥した状態で脚枕１を大腿部７１に配置する。このとき、大腿部７１の裏側が載置部２１上に載置され、大腿部７１が弾性材２３によって刺激されるとともに、大腿部７１が上方に保持されることで腰の地面への接地圧が低減される。これにより、腰痛の痛みを低減することができる。図４では、使用者７が横臥した状態で脚枕１を使用したが、使用者７が椅子に座った状態で椅子の座面と大腿部７１との間に脚枕１を挟んでもよい。大腿部７１の弾性材２３の刺激が不要な場合には、脚枕１を反転させて接地部２２を上に向け使用する。このとき、収容ポケット５Ａに保冷材や携帯用カイロを収容することで脚腰を加温・冷却することができる。
【００３３】
図５に示すように、使用者７が横臥した状態で脚枕１を下腿部７２に配置してもよい。このとき、下腿部７２の裏側が載置部２１上に載置され、下腿部７２が弾性材２３によって刺激される。これにより、下腿部７２が適度に刺激され壮快感を得ることができるとともに、下腿部７２の血液が上半身に流れることで下半身のむくみや鬱血等を低減することができる。また、脚枕１を使用者７の足首７３に配置してもよい。これにより、足首７３を高い位置に保持できるため、脚のむくみ等を解消することができる。
【００３４】
このような構成によると、カバー２内部には、クッション材４よりも硬い内部クッション３が収容されているため、脚の重量によって過度に脚枕１が沈むことを防止し脚を適度な高さに保つことができる。大腿部７１を脚枕１に載置した場合、大腿部７１を適度な高さに保つことにより腰の負担を低減し、腰痛を低減することができる。また、脚が載置可能な載置部２１に脚を刺激するための弾性材２３が収容されたポケット２４が形成されているため、弾性材２３によって脚に適度な刺激を与えることができる。これにより、脚の筋肉に適度な刺激を与え、脚の疲労回復を促すことができる。これにより、脚の血液が上半身に流れて脚のむくみや鬱血を解消するとともに下肢静脈瘤を予防することができる。また、内部クッション３は柔らかいクッション材４で周囲を覆われているため、脚枕１の外周縁は柔らかい感触となる。
【００３５】
このような構成によると、ポケット２４がカバー２の外側に設けられているため、弾性材２３により適度に脚に刺激を与えることができる。これにより、脚枕１使用時の快適性が向上する。
【００３６】
このような構成によると、収容ポケット５Ａに携帯用カイロや保冷材を収容することで、収容ポケット５Ａの位置に載置された脚腰の加温・冷却を行うことができる。
【００３７】
このような構成によると、ポケット２４の長手方向が脚の方向と平行であるため、脚の広い範囲を弾性材２３によって刺激することができる。これにより、脚枕１使用時の快適性が向上する。
【００３８】
次に、本考案の第２の実施の形態の脚枕１０１について図６に基づき説明する。第１の実施の形態と同一の構成については同一の符号を付し、説明を省略する。脚枕１０１は、載置部１２１を有するカバー１０２を備えている。載置部１２１の下面（内側）には下方に突出するようにポケット１２４が設けられていて、ポケット１２４の内部には弾性材２３が収容されている。第１の実施の形態とは、ポケットが設けられている場所が載置部の下面である点において異なる。図６においては、外カバー５の表示を省略している。
【００３９】
このような構成によると、ポケット１２４がカバー１０２の内側に設けられているため、弾性材２３により適度に脚に刺激を与えることができる。これにより、脚枕１０１使用時の快適性が向上する。
【００４０】
次に、本考案の第３の実施の形態の脚枕２０１について図７に基づき説明する。第１の実施の形態と同一の構成については同一の符号を付し、説明を省略する。脚枕２０１は、カバー２を覆う外カバー２０５を備えている。外カバー２０５の上面（外側）には上方に突出するようにポケット２２４が設けられていて、ポケット２２４の内部には弾性材２３が収容されている。つまり、ポケット２２４は、外カバー２０５の上面の外側に縫合されている。第１の実施の形態とは、ポケットが外カバーの外側に設けられている点において異なる。カバー２は第１カバーに相当し、外カバー２０５は第２カバーに相当する。
【００４１】
このような構成によると、ポケット２２４が外カバー２０５の外側に設けられているため、弾性材２３により適度に脚に刺激を与えることができる。これにより、脚枕２０１使用時の快適性が向上する。
【００４２】
次に、本考案の第４の実施の形態の脚枕３０１について図８に基づき説明する。第１の実施の形態と同一の構成については同一の符号を付し、説明を省略する。脚枕３０１は、カバー２を覆う外カバー３０５を備えている。外カバー３０５の上面（内側）には下方に突出するようにポケット３２４が設けられていて、ポケット３２４の内部には弾性材２３が収容されている。つまり、ポケット３２４は、外カバー３０５の上面の下側に縫合されている。第１の実施の形態とは、ポケットが外カバーの内側に設けられている点において異なる。カバー２は第１カバーに相当し、外カバー３０５は第２カバーに相当する。
【００４３】
このような構成によると、ポケット３２４が外カバー３０５の内側に設けられているため、弾性材２３により適度に脚に刺激を与えることができる。これにより、脚枕３０１使用時の快適性が向上する。
【００４４】
本考案の実施の形態は、上述した実施の形態に限定されず、実用新案登録請求の範囲に記載された考案の要旨の範囲内で種々の変更が可能である。
【００４５】
上記の実施の形態では、載置部２１に弾性材２３を縫合したが、これに限定されない。例えば、略矩形の袋状のポケットを作成して４つの辺のうち１つの辺のみを載置部２１に縫合して当該１つの辺を中心にポケットを回動可能にしてもよい。これにより、必要に応じてポケット内部の弾性材の使用有無を使い分けることができる。このとき、脚枕の載置部が設けられている部分が本体カバーに相当し、ポケットがポケットカバーに相当し、縫合されている１つの辺が固定部に相当する。
【００４６】
上記の実施の形態では、載置部２１にポケット２４を縫合したが、面テープ、ボタン、チャック等でポケットを取外し可能にしてもよい。
【００４７】
上記の実施の形態では、載置部２１の４辺を接地部２２と縫合したが、チャックや面テープ等により載置部２１と接地部２２とを接続してカバー２を開閉可能に構成してもよい。これにより、状況に応じて内部クッションを入れ替えることができる。
【００４８】
上記の実施の形態では、内部クッション３としてサニターを２つ用いたが、１つでもよく３つ以上用いてもよい。これにより、脚を載置部２１に載置したときの沈み具合を調整することができる。
【００４９】
上記の実施の形態では、カバー２が外カバー５で覆われていたが、外カバー５の外周をタオル地のタオルカバーでさらに覆ってもよい。収容ポケットに代えて、タオルカバーにアイスノンや携帯用カイロを入れるためのポケットを設けてもよい。
【００５０】
上記の実施の形態では、カバー２に弾性材２３のみが収容されていたが、弾性材２３に加えてクッション材４（綿）や羽毛などを混合させてもよい。これにより、弾性材２３の偏りを防ぐとともに脚への刺激を適度に抑えることができる。
【００５１】
上述の実施の形態では、脚枕を脚に使用したが、腰痛防止クッションとして座席に座った際に腰と背もたれとの間に置いてもよい。これにより椅子に座った際の腰痛を低減することができる。
【００５２】
上述の実施の形態では、収容ポケット５Ａは外カバー５の下面の外側に設けられていたが、下面の内側に設けられていても良い。また、収容ポケット５Ａの一部が開放されていたが、チャックなどによってポケットを開閉可能にしてもよい。
【符号の説明】
【００５３】
１，１０１，２０１，３０１    脚枕
２、１０２    カバー
３    内部クッション
４    クッション材
５、２０５、３０５    外カバー
５Ａ  収容ポケット
２１  載置部
２２  接地部
２３  弾性材
２４、１２４、２２４、３２４  ポケット
【図１】
0003203092.tif 000003
【図２】
0003203092.tif 000004
【図３】
0003203092.tif 000005
【図４】
0003203092.tif 000006
【図５】
0003203092.tif 000007
【図６】
0003203092.tif 000008
【図７】
0003203092.tif 000009
【図８】
0003203092.tif 000010